【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
被写体を異なる撮影条件で撮像した複数の画像データを処理する画像処理装置において、
前記複数の画像データを取得する取得手段と、
前記複数の画像データを合成して合成画像データを生成する合成手段と、
前記複数の画像データおよび生成された前記合成画像データのいずれかに対して、被写体を判定する第１の判定処理を実行させる制御手段とを備え、
前記制御手段は、前記第１の判定処理を、前記複数の画像データの少なくとも１つに対して実行させるか、あるいは、前記合成画像データに対して実行させるかを切り替えることを特徴とする画像処理装置。
【請求項２】
前記制御手段は、前記複数の画像データおよび生成された前記合成画像データのいずれかに対して、前記第１の判定処理に加えて第２の判定処理を実行させることを特徴とする請求項１に記載の画像処理装置。
【請求項３】
前記第１の判定処理は画像データから顔を検出する顔検出処理であり、前記第２の判定処理は、前記第１の判定処理で検出された顔が誰であるかを識別する顔認識処理、および、前記第１の判定処理で検出された顔の表情を判定する表情判定処理の少なくともいずれかであることを特徴とする請求項２に記載の画像処理装置。
【請求項４】
前記制御手段は、前記合成画像データに対して第１の判定処理および第２の判定処理を実行する第１の動作モード、前記複数の画像データのうちの少なくとも１つに対して前記第１の判定処理を実行し前記合成画像データに対して前記第２の判定処理を実行する第２の動作モード、および、前記複数の画像データのうちの１つの画像データに対して前記第１の判定処理および前記第２の判定処理を実行する第３の動作モードを含む複数の動作モードのうち、いずれかの動作モードを選択することを特徴とする請求項２に記載の画像処理装置。
【請求項５】
前記撮影条件は露出条件であり、前記撮像された複数の画像データは、オーバー露出で撮像された画像データ、適正露出で撮像された画像データ、およびアンダー露出で撮像された画像データであることを特徴とする請求項１から４のいずれか１項に記載の画像処理装置。
【請求項６】
前記第１の判定処理は画像データから顔を検出する顔検出処理であり、
前記制御手段は、前記第１の判定処理の結果に応じて、前記動作モードを切り替えることを特徴とする請求項４に記載の画像処理装置。
【請求項７】
前記制御手段は、前記第１の判定処理にて検出された顔の動きに応じて、前記動作モードを切り替えることを特徴とする請求項４に記載の画像処理装置。
【請求項８】
前記第１の判定処理は画像データから顔を検出する顔検出処理であり、前記第２の判定処理は、前記第１の判定処理で検出された顔が誰であるかを識別する顔認識処理であり、
前記制御手段は、前記第２の判定処理によって得られた結果の信頼度に応じて、前記動作モードを切り替えることを特徴とする請求項４に記載の画像処理装置。
【請求項９】
前記撮影条件は露出条件であり、前記撮像された複数の画像データは、オーバー露出で撮像された画像データおよびアンダー露出で撮像された画像データであり、
前記制御手段は、前記複数の画像データのいずれかに対して所定のゲインを適用し、該所定のゲインが適用された画像データに対して前記第１の判定処理を実行することを特徴とする請求項１に記載の画像処理装置。
【請求項１０】
前記制御手段は、前記合成手段にて生成された前記合成画像データで構成された動画像を記憶手段に記憶させることを特徴とする請求項１に記載の画像処理装置。
【請求項１１】
被写体を異なる撮影条件で撮像した複数の画像データを処理する画像処理装置において、
前記複数の画像データを取得する取得手段と、
前記複数の画像データを合成して合成画像データを生成する合成手段と、
前記複数の画像データの少なくとも１つに対して被写体を検出する第１の判定処理を行う第１の判定手段と、
前記合成画像データに対して、前記第１の判定手段によって検出された被写体を特定する第２の判定処理を行う第２の判定手段と、を備えることを特徴とする画像処理装置。
【請求項１２】
前記撮影条件は露出条件であり、
前記撮像された複数の画像データは、オーバー露出で撮像された画像データ、適正露出で撮像された画像データ、およびアンダー露出で撮像された画像データであることを特徴とする請求項１１に記載の画像処理装置。
【請求項１３】
前記第１の判定処理は画像データから顔を検出する顔検出処理であり、
前記第２の判定処理は、前記第１の判定処理で検出された顔が誰であるかを識別する顔認識処理、および、前記第１の判定処理で検出された顔の表情を判定する表情判定処理の少なくともいずれかであることを特徴とする請求項１１に記載の画像処理装置。
【請求項１４】
請求項１に記載の画像処理装置と、
前記合成手段にて生成された前記合成画像データで構成された動画像を記憶手段に記憶させる制御手段と
を有することを特徴とする撮像装置。
【請求項１５】
請求項１１に記載の画像処理装置と、
前記合成手段にて生成された前記合成画像データで構成された動画像を記憶手段に記憶させる制御手段と
を有することを特徴とする撮像装置。
【請求項１６】
被写体を異なる撮影条件で撮像した複数の画像データを処理する画像処理装置の制御方法において、
前記複数の画像データを取得する取得ステップと、
前記複数の画像データを合成して合成画像データを生成する合成ステップと、
前記画像データおよび生成された前記合成画像データのいずれかに対して、被写体を判定する判定処理を実行させる制御ステップとを備え、
前記制御ステップは、前記判定処理を、前記複数の画像データの少なくとも１つに対して実行させるか、あるいは、前記合成画像データに対して実行させるかを切り替えることを特徴とする制御方法。
【請求項１７】
被写体を異なる撮影条件で撮像した複数の画像データを処理する画像処理装置の制御方法において、
前記複数の画像データを取得する取得ステップと、
前記複数の画像データを合成して合成画像データを生成する合成ステップと、
前記複数の画像データの少なくとも１つに対して被写体を検出する第１の判定処理を行う判定ステップと、
前記合成画像データに対して、前記第１の判定処理によって検出された被写体を特定する第２の判定処理を行う第２の判定ステップと、
を備えることを特徴とする制御方法。
【請求項１８】
被写体を異なる撮影条件で撮像した複数の画像データを処理する画像処理装置を制御するプログラムであり、
コンピュータを、
前記複数の画像データを取得する取得手段、
前記複数の画像データを合成して合成画像データを生成する合成手段、
被写体を判定する判定処理を、前記複数の画像データの少なくとも１つに対して実行させるか、あるいは、前記合成画像データに対して実行させるかを切り替える制御手段として機能させるプログラム。
【請求項１９】
被写体を異なる撮影条件で撮像した複数の画像データを処理する画像処理装置を制御するプログラムであり、
コンピュータを、
前記複数の画像データを取得する取得手段と、
前記複数の画像データを合成して合成画像データを生成する合成手段と、
前記複数の画像データの少なくとも１つに対して被写体を検出する第１の判定処理を行う第１の判定手段と、
前記合成画像データに対して、前記第１の判定手段によって検出された被写体を特定する第２の判定処理を行う第２の判定手段として機能させるプログラム。